(57)【特許請求の範囲】
【請求項１】
互いの一部同士を重ね合わせた状態で並設することによって壁状構造物を構成可能な建設用ブロックであって、
第１の凹部および第２の凹部が表面上側左右隅部にそれぞれ形成されると共に第３の凹部および第４の凹部が裏面下側左右隅部にそれぞれ形成され、
前記第１の凹部に第１の連結部が形成され、前記第２の凹部に第２の連結部が形成され、前記第３の凹部に第３の連結部が形成され、かつ前記第４の凹部に第４の連結部が形成され、
前記壁状構造物を構成した状態において、
一の前記建設用ブロックにおける前記第１の凹部と他の前記建設用ブロックにおける前記第４の凹部とが対向した状態で重なり合って当該一の建設用ブロックにおける前記第１の連結部と当該他の建設用ブロックにおける前記第４の連結部とが連結し、
一の前記建設用ブロックにおける前記第２の凹部と他の前記建設用ブロックにおける前記第３の凹部とが対向した状態で重なり合って当該一の建設用ブロックにおける前記第２の連結部と当該他の建設用ブロックにおける前記第３の連結部とが連結し、
一の前記建設用ブロックにおける前記第３の凹部と他の前記建設用ブロックにおける前記第２の凹部とが対向した状態で重なり合って当該一の建設用ブロックにおける前記第３の連結部と当該他の建設用ブロックにおける前記第２の連結部とが連結し、
一の前記建設用ブロックにおける前記第４の凹部と他の前記建設用ブロックにおける前記第１の凹部とが対向した状態で重なり合って当該一の建設用ブロックにおける前記第４の連結部と当該他の建設用ブロックにおける前記第１の連結部とが連結可能に構成されている建設用ブロック。
【請求項２】
前記第１の連結部は前記第１の凹部の表面に形成された第１の移動規制壁を備えると共に、前記第４の連結部は前記第４の凹部の表面に形成された第４の移動規制壁を備え、当該第１および第４の移動規制壁は、互いの対向面同士が当接し合うことにより、重ね合わされた当該建設用ブロック同士の左右方向での離反を規制し、
前記第２の連結部は前記第２の凹部の表面に形成された第２の移動規制壁を備えると共に、前記第３の連結部は前記第３の凹部の表面に形成された第３の移動規制壁を備え、当該第２および第３の移動規制壁は、互いの対向面同士が当接し合うことにより、重ね合わされた前記建設用ブロック同士の前記左右方向での離反を規制する請求項１記載の建設用ブロック。
【請求項３】
前記第１および第２の移動規制壁は、各々の前記対向面が下方に向かうに従って互いに接近する斜面にそれぞれ形成され、
前記第３および第４の移動規制壁は、各々の前記対向面が下方に向かうに従って互いに離反する斜面にそれぞれ形成されている請求項２記載の建設用ブロック。
【請求項４】
前記第１の連結部は、表面上側中央に位置して前記第１および第２の凹部を区画しその平面形状が四角形に形成された前部区画壁の左側面において上下方向に沿って形成されて上面に達する第１の嵌合溝と、上下方向に沿って左側面に形成された第１の突起部とを備えて構成され、
前記第２の連結部は、前記前部区画壁の右側面において上下方向に沿って形成されて上面に達する第２の嵌合溝と、上下方向に沿って右側面に形成された第２の突起部とを備えて構成され、
前記第３の連結部は、裏面下側中央に位置して前記第３および第４の凹部を区画しその平面形状が四角形に形成された後部区画壁の左側面において上下方向に沿って形成されて下面に達する第３の嵌合溝と、上下方向に沿って左側面に形成された第３の突起部とを備えて構成され、
前記第４の連結部は、前記後部区画壁の右側面において上下方向に沿って形成されて下面に達する第４の嵌合溝と、上下方向に沿って右側面に形成された第４の突起部とを備えて構成され、
前記壁状構造物を構成した状態において、
一の前記建設用ブロックにおける前記第１の嵌合溝内に他の前記建設用ブロックにおける前記第４の突起部が進入すると共に当該一の建設用ブロックにおける前記第１の突起部が当該他の建設用ブロックにおける前記第４の嵌合溝内に進入し、
当該一の建設用ブロックにおける前記第２の嵌合溝内に他の前記建設用ブロックにおける前記第３の突起部が進入すると共に当該一の建設用ブロックにおける前記第２の突起部が当該他の建設用ブロックにおける前記第３の嵌合溝内に進入し、
当該一の建設用ブロックにおける前記第３の嵌合溝内に他の前記建設用ブロックにおける前記第２の突起部が進入すると共に当該一の建設用ブロックにおける前記第３の突起部が当該他の建設用ブロックにおける前記第２の嵌合溝内に進入し、かつ、
当該一の建設用ブロックにおける前記第４の嵌合溝内に他の前記建設用ブロックにおける前記第１の突起部が進入すると共に当該一の建設用ブロックにおける前記第４の突起部が当該他の建設用ブロックにおける前記第１の嵌合溝内に進入することによって幅方向での離反を規制可能に構成されている請求項１から３のいずれかに記載の建設用ブロック。
【請求項５】
裏面中央に延設された分岐部を備え、
当該分岐部の延出端側における表面上側隅部に前記第２の凹部と同一形状の第５の凹部が形成されると共に前記第２の連結部と同一形状の第５の連結部が当該第５の凹部に形成され、
前記延出端側における裏面下側隅部に前記第４の凹部と同一形状の第６の凹部が形成されると共に前記第４の連結部と同一形状の第６の連結部が当該第６の凹部に形成されている請求項１〜４のいずれかに記載の建設用ブロック。
【発明の詳細な説明】
【０００１】
【発明の属する技術分野】
本発明は、互いの一部同士を重ね合わせた状態で並設することによって壁状構造物を構成可能な建設用ブロックに関するものである。
【０００２】
【従来の技術】
建築物の外壁や塀などの壁状構造物を構成するための建設用材料として、図９に示す建設用ブロック９２が従来から知られている。この建設用ブロック９２は、複数段に積み重ねて壁状構造物を構成するコンクリート製のブロックであって、例えば直方体に形成されている。この場合、建設用ブロック９２には、建設用ブロック９２を軽量化せさると共に鉄筋９１などの連結用部材を上下方向に貫通させるための一対の貫通孔９３，９３が形成されている。この建設用ブロック９２を積み重ねて壁状構造物を構成する際には、まず、コンクリートによって基礎９０を形成する。この場合、基礎９０は、型枠内に生コンクリートを充填して、その生コンクリートが固化した後に、型枠を除去して形成される。また、基礎９０を形成する際には、上下方向に重なり合う建設用ブロック９２，９２・・同士を互いに連結させるための複数の鉄筋９１，９１・・・を建設用ブロック９２の貫通孔９３，９３のピッチに合わせて基礎９０に立設する。次に、基礎９０の上面に建設用ブロック９２を固定するためのモルタルなどの固定材を塗布した後に、貫通孔９３に鉄筋９１を貫通させつつ建設用ブロック９２を基礎９０の上面に載置する。この際に、貫通させた鉄筋９１と貫通孔９３との隙間にモルタルなどを充填して建設用ブロック９２と鉄筋９１とを固定する。次いで、他の建設用ブロック９２を載置する。この際に、貫通孔９３に鉄筋９１を貫通させると共に先に載置した建設用ブロック９２の側面にその側面を当接させて並設する。続いて、建設用ブロック９２，９２同士の当接面の隙間にモルタルなどを充填する。以下同様にして、基礎９０の上面に建設用ブロック９２を順次載置して１段目を形成する。次に、１段目の建設用ブロック９２，９２・・・の上面にモルタルなどを塗布した後に建設用ブロック９２，９２・・・を積み重ねて２段目を形成する。以下同様にして、３段目、４段目・・・を形成する。これにより、複数の建設用ブロック９２，９２・・で壁状構造物が構成される。
【０００３】
【発明が解決しようとする課題】
ところが、この従来の建設用ブロック９２には、以下の問題点がある。すなわち、従来の建設用ブロック９２によって壁状構造物を構成する際には、基礎９０に立設した鉄筋９１を建設用ブロック９２の貫通孔９３に貫通させ、さらに貫通孔９３と鉄筋９１との隙間にモルタルなどの固定材を充填しつつ１つずつ積み重ねる必要がある。また、隣接する建設用ブロック９２，９２同士の当接面の隙間にもモルタルなどを充填して互いを固定する必要がある。したがって、作業が煩雑で完成までに長期間を有するという問題点がある。また、完成までに多くの人手を必要とするため、これに要する人件費に起因して壁状構造物の建設費用が高騰しているという問題点がある。また、隣接する建設用ブロック９２，９２同士をモルタルなどによって固定しているため、大型の壁状構造物を構成するには強度が不足するという問題がある。この場合、コンクリートによって壁状構造物全体を形成することも可能である。しかし、この方法では、壁状構造物の形状に合わせて型枠を構成し、かつ強度を確保するために埋設する鉄筋を壁状構造物の形状に合わせて型枠内に作製する必要があるため、完成までに、さらに長期間を要すると共に建設費用がさらに高騰するという問題点がある。
【０００４】
本発明は、かかる問題点に鑑みてなされたものであり、短期間で安価かつ容易に壁状構造物を構成し得る建設用ブロックを提供することを主目的とする。また、十分な強度を確保し得る建設用ブロックを提供することを他の目的とする。
【０００５】
【課題を解決するための手段】
上記目的を達成すべく請求項１記載の建設用ブロックは、互いの一部同士を重ね合わせた状態で並設することによって壁状構造物を構成可能な建設用ブロックであって、第１の凹部および第２の凹部が表面上側左右隅部にそれぞれ形成されると共に第３の凹部および第４の凹部が裏面下側左右隅部にそれぞれ形成され、前記第１の凹部に第１の連結部が形成され、前記第２の凹部に第２の連結部が形成され、前記第３の凹部に第３の連結部が形成され、かつ前記第４の凹部に第４の連結部が形成され、前記壁状構造物を構成した状態において、一の前記建設用ブロックにおける前記第１の凹部と他の前記建設用ブロックにおける前記第４の凹部とが対向した状態で重なり合って当該一の建設用ブロックにおける前記第１の連結部と当該他の建設用ブロックにおける前記第４の連結部とが連結し、一の前記建設用ブロックにおける前記第２の凹部と他の前記建設用ブロックにおける前記第３の凹部とが対向した状態で重なり合って当該一の建設用ブロックにおける前記第２の連結部と当該他の建設用ブロックにおける前記第３の連結部とが連結し、一の前記建設用ブロックにおける前記第３の凹部と他の前記建設用ブロックにおける前記第２の凹部とが対向した状態で重なり合って当該一の建設用ブロックにおける前記第３の連結部と当該他の建設用ブロックにおける前記第２の連結部とが連結し、一の前記建設用ブロックにおける前記第４の凹部と他の前記建設用ブロックにおける前記第１の凹部とが対向した状態で重なり合って当該一の建設用ブロックにおける前記第４の連結部と当該他の建設用ブロックにおける前記第１の連結部とが連結可能に構成されている。
【０００６】
また、請求項２記載の建設用ブロックは、請求項１記載の建設用ブロックにおいて、前記第１の連結部は前記第１の凹部の表面に形成された第１の移動規制壁を備えると共に、前記第４の連結部は前記第４の凹部の表面に形成された第４の移動規制壁を備え、当該第１および第４の移動規制壁は、互いの対向面同士が当接し合うことにより、重ね合わされた当該建設用ブロック同士の左右方向での離反を規制し、前記第２の連結部は前記第２の凹部の表面に形成された第２の移動規制壁を備えると共に、前記第３の連結部は前記第３の凹部の表面に形成された第３の移動規制壁を備え、当該第２および第３の移動規制壁は、互いの対向面同士が当接し合うことにより、重ね合わされた前記建設用ブロック同士の前記左右方向での離反を規制する。
【０００７】
また、請求項３記載の建設用ブロックは、請求項２記載の建設用ブロックにおいて、前記第１および第２の移動規制壁は、各々の前記対向面が下方に向かうに従って互いに接近する斜面にそれぞれ形成され、前記第３および第４の移動規制壁は、各々の前記対向面が下方に向かうに従って互いに離反する斜面にそれぞれ形成されている。
【０００８】
さらに、請求項４記載の建設用ブロックは、請求項１から３のいずれかに記載の建設用ブロックにおいて、前記第１の連結部は、表面上側中央に位置して前記第１および第２の凹部を区画しその平面形状が四角形に形成された前部区画壁の左側面において上下方向に沿って形成されて上面に達する第１の嵌合溝と、上下方向に沿って左側面に形成された第１の突起部とを備えて構成され、前記第２の連結部は、前記前部区画壁の右側面において上下方向に沿って形成されて上面に達する第２の嵌合溝と、上下方向に沿って右側面に形成された第２の突起部とを備えて構成され、前記第３の連結部は、裏面下側中央に位置して前記第３および第４の凹部を区画しその平面形状が四角形に形成された後部区画壁の左側面において上下方向に沿って形成されて下面に達する第３の嵌合溝と、上下方向に沿って左側面に形成された第３の突起部とを備えて構成され、前記第４の連結部は、前記後部区画壁の右側面において上下方向に沿って形成されて下面に達する第４の嵌合溝と、上下方向に沿って右側面に形成された第４の突起部とを備えて構成され、前記壁状構造物を構成した状態において、一の前記建設用ブロックにおける前記第１の嵌合溝内に他の前記建設用ブロックにおける前記第４の突起部が進入すると共に当該一の建設用ブロックにおける前記第１の突起部が当該他の建設用ブロックにおける前記第４の嵌合溝内に進入し、当該一の建設用ブロックにおける前記第２の嵌合溝内に他の前記建設用ブロックにおける前記第３の突起部が進入すると共に当該一の建設用ブロックにおける前記第２の突起部が当該他の建設用ブロックにおける前記第３の嵌合溝内に進入し、当該一の建設用ブロックにおける前記第３の嵌合溝内に他の前記建設用ブロックにおける前記第２の突起部が進入すると共に当該一の建設用ブロックにおける前記第３の突起部が当該他の建設用ブロックにおける前記第２の嵌合溝内に進入し、かつ、当該一の建設用ブロックにおける前記第４の嵌合溝内に他の前記建設用ブロックにおける前記第１の突起部が進入すると共に当該一の建設用ブロックにおける前記第４の突起部が当該他の建設用ブロックにおける前記第１の嵌合溝内に進入することによって幅方向での離反を規制可能に構成されている。
【０００９】
また、請求項５記載の建設用ブロックは、請求項１〜４のいずれかに記載の建設用ブロックにおいて、裏面中央に延設された分岐部を備え、当該分岐部の延出端側における表面上側隅部に前記第２の凹部と同一形状の第５の凹部が形成されると共に前記第２の連結部と同一形状の第５の連結部が当該第５の凹部に形成され、前記延出端側における裏面下側隅部に前記第４の凹部と同一形状の第６の凹部が形成されると共に前記第４の連結部と同一形状の第６の連結部が当該第６の凹部に形成されている。
【００１０】
【発明の実施の形態】
以下、図面を参照して、本発明に係る建設用ブロックの好適な実施の形態について説明する。
【００１１】
最初に、建設用ブロック１の構成について図面を参照して説明する。
【００１２】
建設用ブロック１は、互いの一部同士を重ね合わせた状態で並設することによって壁状構造物を構成可能な鉄筋コンクリート製の建設用ブロックであって、図１，２に示すように、全体として長方形の板状に形成されている。また、建設用ブロック１には、凹部１０，２０，３０，４０、前部区画壁５０および後部区画壁６０が形成されている。この場合、凹部１０，２０，３０，４０、前部区画壁５０および後部区画壁６０は、各々の正面形状が互いに同一の大きさの四角形（具体的には長方形）に形成されている。また、図１に示すように、凹部１０が建設用ブロック１における表面２の上側左隅部に形成されると共に凹部２０が表面２の上側右隅部に形成され、前部区画壁５０が、表面２の上側中央部に形成されて凹部１０と凹部２０とを区画する。また、図２に示すように、凹部３０が建設用ブロック１における裏面３の下側右隅部に形成されると共に凹部４０が裏面３の下側左隅部に形成され、後部区画壁６０が、裏面３の下側中央に形成されて凹部３０と凹部４０とを区画する。
【００１３】
凹部１０は、本発明における第１の凹部に相当し、図１に示すように、建設用ブロック１における表面２から裏面３に向かって窪ませて形成されている。また、凹部１０は、壁状構造物を組み立てた状態において、他の建設用ブロック１の凹部４０と対向した状態での重なり合いが可能に構成されている。さらに、凹部１０には、本発明における第１の連結部に相当する連結部１１が形成され、この連結部１１は、基端部１２、後方壁１３、前方壁１４、突起部１５および嵌合溝１６から構成されている。基端部１２は、凹部１０の底面１０ｂ（凹部１０における最も窪んだ面）と凹部１０を区画する側壁としての下面１０ａとの角部において表面２側に突出して左右方向に沿って直方体状に形成されている。この場合、基端部１２は、図３に示すように、底面１０ｂからその表面１２ｂまでの厚みＴ２が、建設用ブロック１の表面２から基端部１２の表面１２ｂまでの深さＤ１と建設用ブロック１の裏面３から凹部１０の底面１０ｂまでの厚みＴ１とが同一になるように形成されている。また、基端部１２は、図４に示すように、下面１０ａから上面１２ａまでの高さがＨ１で形成されている。一方、後方壁１３は、図３に示すように、基端部１２上において底面１０ｂに沿って厚みＴ３で形成されている。この場合、厚みＴ３は、同図に示すように、基端部１２の厚みＴ２の１／３となるように規定されている。また、後方壁１３は、図４に示すように、その上面１３ａが建設用ブロック１の上面５よりも基端部１２の高さＨ１分低くなるように高さＨ２で形成されている。
【００１４】
前方壁１４は、本発明における第１の移動規制壁に相当し、図３に示すように、基端部１２上において、その厚みが後方壁１３の厚みＴ３の２倍（２・Ｔ３）であって、図４に示すように、その高さＨ２が後方壁１３と同一となるように底面１０ｂに沿って凹部１０の左端部側に形成されている。つまり、前方壁１４は、凹部１０の底面１０ｂに対しては、その表面１４ｂが後方壁１３の表面１３ｂよりも厚みＴ３だけ高く、基端部１２の表面１２ｂよりも厚みＴ３だけ低くなるように形成されている。また、前方壁１４は、下方（基端部１２側）に向かうに従って横幅が拡がる台形状に形成されている。したがって、右側の対向面１４ｃが下方に向かうに従って前部区画壁５０に接近するように斜面に形成されている。この場合、前方壁１４は、図３に示すように、基端部１２側の下端部の長さＷ２が、後方壁１３の上面１３ａの長さＷ３（前方壁１４の上面１４ａの右端部から前部区画壁５０の左側面５１ａまでの長さ）と等しくなるように形成されている。
【００１５】
突起部１５は、本発明における第１の突起部に相当し、前方壁１４の左側面において、建設用ブロック１の上下方向に沿ってその左側面６から突出するように形成されている。この場合、突起部１５は、図３に示すように、その厚みがＴ３で、かつ突出長がＷ１で直方体状に形成されている。嵌合溝１６は、本発明における第１の嵌合溝に相当し、前部区画壁５０の左側面５１ａにおいて、建設用ブロック１の上面５から基端部１２の上面１２ａに亘り、上下方向に沿って形成されている。また、嵌合溝１６は、図３に示すように、その深さＤ２が突起部１５の突出長Ｗ１と同じ長さで、かつその溝幅が突起部１５の厚みＴ３と同じになるように断面コ字状に形成されると共に、裏面３側の側面が後方壁１３の表面１３ｂと面一となるように形成されている。
【００１６】
凹部２０は、本発明における第２の凹部に相当し、図１に示すように、建設用ブロック１における表面２から裏面３に向かって窪ませて形成されている。また、凹部２０は、壁状構造物を組み立てた状態において、他の建設用ブロック１の凹部３０と対向した状態での重なり合いが可能に構成されている。さらに、凹部２０には、本発明における第２の連結部に相当する連結部２１が形成され、この連結部２１は、基端部２２、後方壁２３、前方壁２４、突起部２５および嵌合溝２６から構成されている。この場合、連結部２１は、建設用ブロック１における左右方向の中心縦断面に対して連結部１１と左右対称に形成されている。したがって、基端部２２、後方壁２３、前方壁２４、突起部２５および嵌合溝２６は、連結部１１における基端部１２、後方壁１３、前方壁１４、突起部１５および嵌合溝１６とそれぞれ左右対称に形成されている。
【００１７】
凹部３０は、本発明における第３の凹部に相当し、図２に示すように、建設用ブロック１における裏面３から表面２に向かって窪ませて形成されている。また、凹部３０は、壁状構造物を組み立てた状態において、他の建設用ブロック１の凹部２０と対向した状態での重なり合いが可能に構成されている。さらに、凹部３０には、本発明における第３の連結部に相当する連結部３１が形成され、この連結部３１は、基端部３２、後方壁３３、前方壁３４、突起部３５および嵌合溝３６を備え、壁状構造物を組み立てた状態において、他の建設用ブロック１の連結部２１と連結可能に構成されている。この場合、連結部３１は、図２に示すように建設用ブロック１における仮想横軸Ｘを中心として連結部１１を１８０度回転させた状態と同一に形成されている。したがって、基端部３２、後方壁３３、前方壁３４、突起部３５および嵌合溝３６は、連結部１１における基端部１２、後方壁１３、前方壁１４、突起部１５および嵌合溝１６とそれぞれ同一に形成されている。
【００１８】
この連結部３１が他の建設用ブロック１の連結部２１と連結した状態では、凹部３０の底面３０ｂが他の建設用ブロック１における基端部２２の表面２２ｂに当接する。また、基端部３２の下面３２ａが他の建設用ブロック１における後方壁２３の上面２３ａおよび前方壁２４の上面２４ａに当接し、かつ表面３２ｂが他の建設用ブロック１における凹部２０の底面２０ｂに面的に接する。また、後方壁３３の下面３３ａが他の建設用ブロック１における基端部２２の上面２２ａに当接し、かつ表面３３ｂが他の建設用ブロック１における前方壁２４の表面２４ｂに面的に接する。さらに、前方壁３４の下面３４ａが他の建設用ブロック１における基端部２２の上面２２ａに当接し、かつ表面３４ｂが他の建設用ブロック１における後方壁２３の表面２３ｂに面的に接する。また、前方壁３４の対向面３４ｃが他の建設用ブロック１における前方壁２４の対向面２４ｃに当接することによって建設用ブロック１，１同士の左右方向での離反が規制される。さらに、建設用ブロック１の左側面６から突出する突起部３５が他の建設用ブロック１の嵌合溝２６に嵌合すると共に、後部区画壁６０の右側面６１ａに形成されている嵌合溝３６に他の建設用ブロック１における前部区画壁５０の右側面５１ｂに形成されている突起部２５が嵌合して建設用ブロック１，１同士の厚み方向での離反が規制される。
【００１９】
凹部４０は、本発明における第４の凹部に相当し、図２に示すように、建設用ブロック１における裏面３から表面２に向かって窪ませて形成されている。また、凹部４０は、壁状構造物を組み立てた状態において、他の建設用ブロック１の凹部１０と対向した状態での重なり合いが可能に構成されている。さらに、凹部４０には、本発明における第４の連結部に相当する連結部４１が形成され、この連結部４１は、基端部４２、後方壁４３、前方壁４４、突起部４５および嵌合溝４６を備え、壁状構造物を組み立てた状態において、他の建設用ブロック１の連結部１１と連結可能に構成されている。この場合、連結部４１は、建設用ブロック１における左右方向の中心縦断面に対して連結部３１と左右対称に形成されている。したがって、基端部４２、後方壁４３、前方壁４４、突起部４５および嵌合溝４６は、連結部３１における基端部３２、後方壁３３、前方壁３４、突起部３５および嵌合溝３６とそれぞれ左右対称に形成されている。
【００２０】
この連結部４１が他の建設用ブロック１の連結部１１と連結した状態では、凹部４０の底面４０ｂが他の建設用ブロック１における基端部１２の表面１２ｂに当接する。また、基端部４２の下面４２ａが他の建設用ブロック１における後方壁１３の上面１３ａおよび前方壁１４の上面１４ａに当接し、かつ表面４２ｂが他の建設用ブロック１における凹部１０の底面１０ｂに面的に接する。また、後方壁４３の下面４３ａが他の建設用ブロック１における基端部１２の上面１２ａに当接し、かつ表面４３ｂが他の建設用ブロック１における前方壁１４の表面１４ｂに面的に接する。さらに、前方壁４４の下面４４ａが他の建設用ブロック１における基端部１２の上面１２ａに当接し、かつ表面４４ｂが他の建設用ブロック１における後方壁１３の表面１３ｂに面的に接する。また、前方壁４４の対向面４４ｃが他の建設用ブロック１における前方壁１４の対向面１４ｃに当接することによって建設用ブロック１，１同士の左右方向での離反が規制される。さらに、建設用ブロック１の右側面７から突出する突起部４５が他の建設用ブロック１の嵌合溝１６に嵌合すると共に、後部区画壁６０の左側面６１ｂに形成されている嵌合溝４６に他の建設用ブロック１の突起部１５が嵌合して建設用ブロック１，１同士の厚み方向での離反が規制される。
【００２１】
次に、建設用ブロック１を用いた壁状構造物の組立て方法について、図５を参照して説明する。
【００２２】
まず、複数の基礎用ブロック１Ａ，１Ａ・・・を並設する。この場合、基礎用ブロック１Ａは、基体部の上部側が建設用ブロック１における凹部１０、凹部２０および前部区画壁５０と同一に形成され、基体部の下部側が凹部３０，４０を有しないで直方体状に形成されている。この基礎用ブロック１Ａの並設に際しては、基礎用ブロック１Ａ，１Ａ同士を前部区画壁５０の左右の長さ分だけ互いに離間した状態で、基体部の下部側を地中に埋設したりボルト等によってコンクリート基礎などに連結することによって固定する。したがって、現場での基礎の形成が不要のため、壁状構造物の組立てを直ちに開始することができる。次に、建設用ブロック１を上方から下方に向けて移動させて隣り合う２つの基礎用ブロック１Ａ（一例として図５に示す１ＡＡおよび１ＡＢ）に重ね合わせる。この際に、建設用ブロック１の連結部３１を基礎用ブロック１ＡＡの連結部２１に嵌め合わせると共に、連結部４１を隣接する基礎用ブロック１ＡＢの連結部１１に嵌め合わせる。具体的には、連結部３１の突起部３５を連結部２１の嵌合溝２６に進入させると共に、連結部４１の突起部４５を連結部１１の嵌合溝１６に進入させつつ建設用ブロック１を下方向に押し下げて移動させる。この際に、前方壁１４の対向面１４ｃと前方壁２４の対向面２４ｃとが下方に向かうに従って互いに接近する形状に形成され、かつ前方壁３４の対向面３４ｃと前方壁４４の対向面４４ｃとが下方に向かうに従って互いに離反する形状に形成されているため、各凹部同士を容易に重ね合わせることができる。次いで、建設用ブロック１を下方向に移動させるに従って、連結部３１の前方壁３４の対向面３４ｃと連結部２１の前方壁２４の対向面２４ｃとが互いに接近し、かつ連結部４１の前方壁４４の対向面４４ｃと連結部１１の前方壁１４の対向面１４ｃとが互いに接近し、最終的には、対向面３４ｃと対向面２４ｃとが互いに当接し、かつ対向面４４ｃと対向面１４ｃとが互いに当接する。
【００２３】
この状態では、建設用ブロック１の凹部と基礎用ブロック１ＡＡおよび基礎用ブロック１ＡＢの凹部同士が完全に重ね合わされる。また、建設用ブロック１の下面４、下面３４ａ、下面３２ａおよび上面３０ａが、基礎用ブロック１ＡＡの下面２０ａ、上面２２ａ、上面２４ａおよび上面５にそれぞれ当接し、かつ建設用ブロック１の下面４、下面４４ａ、下面４２ａおよび上面４０ａが、基礎用ブロック１ＡＢの下面１０ａ、上面１２ａ、上面１４ａおよび上面５にそれぞれ当接する。これにより、建設用ブロック１の下方向への移動が阻止される。同時に、連結部３１の前方壁３４の対向面３４ｃと連結部２１の前方壁２４の対向面２４ｃとが互いに当接し、かつ連結部４１の前方壁４４の対向面４４ｃと連結部１１の前方壁１４の対向面１４ｃとが互いに当接することにより、建設用ブロック１の左右方向での離反が規制される。さらに、連結部３１の突起部３５および嵌合溝３６と連結部２１の嵌合溝２６および突起部２５とがそれぞれ嵌合し、かつ連結部４１の突起部４５および嵌合溝４６と連結部１１の嵌合溝１６および突起部１５とがそれぞれ嵌合し、これにより、建設用ブロック１の厚み方向での離反が規制される。また、この状態では、建設用ブロック１の表面２から基礎用ブロック１ＡＡの裏面３までの厚み、および建設用ブロック１の表面２から基礎用ブロック１ＡＢの裏面３までの厚みは、前部区画壁５０の厚み（つまり建設用ブロック１の厚み）に一致している。したがって、重ね合わせた建設用ブロック１の表面２および裏面３と基礎用ブロック１ＡＢ，１ＡＢの表面２および裏面３とが段差なく連続して、恰も一枚の壁状に並設される。
【００２４】
続いて、基礎用ブロック１ＡＢと隣接する図外の他の基礎用ブロック１Ａとに他の建設用ブロック１を連結する。以下同様にして、建設用ブロック１，１・・・を基礎用ブロック１Ａ，１Ａ・・・に連結させて１段目を並設する。この際に、建設用ブロック１，１・・・は、前部区画壁５０の左右の長さ分だけ互いに離間した状態で並設される。次に、１段目の建設用ブロック１，１・・・の上方から建設用ブロック１，１・・・を連結して２段目を並設する。以下同様にして、所定の高さまで３段目、４段目・・・を並設する。これにより、建設用ブロック１によって壁状構造物が組み立てられる。なお、壁状構造物の端部に位置する建設用ブロック１については、凹部１０（または２０）を設けることなく前部区画壁５０と面一に形成された建設用ブロック１を使用し、最上部に位置する建設用ブロック１については、凹部１０，２０を設けることなく前部区画壁５０と面一に形成された建設用ブロック１を使用する。
【００２５】
このように、この建設用ブロック１によれば、連結部１１を備えた凹部１０および連結部２１を備えた凹部２０を表面上側左右隅部にそれぞれ配設すると共に、連結部３１を備えた凹部３０および連結部４１を備えた凹部４０を裏面下側左右隅部に配設して、壁状構造物を組み立てた状態において連結部１１と他の建設用ブロック１の連結部４１とが連結し、連結部２１と他の建設用ブロック１の連結部３１とが連結し、連結部３１と他の建設用ブロック１の連結部２１とが連結し、連結部４１と他の建設用ブロック１の連結部１１とが連結することにより、短時間でしかも容易に壁状構造物を組み立てる（構成する）ことができる。この結果、人件費を削減することができるため、壁状構造物を安価に組み立てることができる。また、前方壁１４の対向面１４ｃと前方壁４４の対向面４４ｃとが当接すると共に前方壁２４の対向面２４ｃと前方壁３４の対向面３４ｃとが当接することにより、重ね合わされた建設用ブロック１，１同士の左右方向での離反を規制することができるため、建設用ブロック１，１同士を確実に連結することができる結果、壁状構造物の強度を十分に高めることができる。
【００２６】
さらに、建設用ブロック１が下方に移動するに従って対向する各対向面同士が接近して壁状構造物の組立て状態において各対向面同士が面的に当接するため、建設用ブロック１の左右方向での移動を確実に規制することができる。また、連結部１１に突起部１５および嵌合溝１６を形成し、連結部２１に突起部２５および嵌合溝２６を形成し、連結部３１に突起部３５および嵌合溝３６を形成し、連結部４１に突起部４５および嵌合溝４６を形成したことにより、壁状構造物の組立て状態において、各突起部と各嵌合溝とが嵌合するため、重ね合わされた建設用ブロック１の厚み方向での離反を確実に規制することができる。したがって、壁状構造物を強固に構成することができると共に大型の壁状構造物を構成することもできる。
【００２７】
なお、本発明は、上記した本発明の実施の形態に限定されない。例えば、図６に示すように、建設用ブロック１における裏面３の中央部に分岐部７０を延設し、分岐部７０の延出端側における表面７０ａの上側隅部（具体的には、上部右側隅部）に凹部２０と同形状の凹部７１を配設すると共に、分岐部７０の延出端側における裏面７０ｂの下側隅部（具体的には、下部右側隅部）に凹部４０と同形状の凹部７２を配設することにより、一の壁状構造物に直交する方向に他の壁状構造物を連結可能な建設用ブロック１Ｂを構成することができる。この建設用ブロック１Ｂを使用して壁状構造物に他の壁状構造物を連結する際には、まず、他の壁状構造物を連結する位置で建設用ブロック１に代えて建設用ブロック１Ｂを使用する。次に、建設用ブロック１Ｂの延出端側に建設用ブロック１を連結する。このように、この建設用ブロック１Ｂによれば、裏面３の中央に延設された分岐部７０を備え、この分岐部７０に凹部７１，７２を形成したことにより、壁状構造物に他の壁状構造物を容易に連結することができる。この場合、分岐部７０に加えて、表面２に他の分岐部を延設し、凹部１０と同形状の凹部と凹部３０と同形状の凹部とを配設することにより、一の壁状構造物の表裏に他の壁状構造物を連結可能な十字状の建設用ブロックを構成することもできる。
【００２８】
また、上記した本発明に係る実施の形態では、連結部１１，２１，３１，４１にそれぞれ基端部１２，２２，３２，４２、後方壁１３，２３，３３，４３および前方壁１４，２４，３４，４４を備えて建設用ブロック１を構成した例について説明したが、これらに代えて、図７に示すように、壁１７，２７，３７，４７を備えた建設用ブロック１Ｃを構成することもできる。さらに、図８に示すように、前部区画壁５０、後部区画壁６０、凹部３０，４０の外形よりもやや小さい板状の凸部２Ａ，２Ａ・・・を建設用ブロック１の表面２に設けて建設用ブロック１Ｄを構成することもできる。この建設用ブロック１Ｄによれば、壁状構造物を組み立てた状態において、他の建設用ブロック１Ｄの凸部２Ａ，２Ａ・・・と相俟って上下方向および左右方向に溝が形成されるため、壁状構造物に降り注がれた雨水を効果的に流下させることができる。また、デザイン的にも壁状構造物の美観を向上させることもできる。また、上記した本発明に係る実施の形態では、鉄筋コンクリート製の建設用ブロック１を例に挙げて説明したが、本発明はこれに限定されず、例えば、合成樹脂や木材（チップ材も含む）またはこれらの混合物によって建設用ブロック１を形成することもできる。この場合、これらによって建設用ブロック１を形成することにより、建設用ブロック１を軽量化することができるため、例えば住宅の外壁などに適した建設用ブロック１を構成することができる。
【００２９】
【発明の効果】
以上のように、請求項１記載の建設用ブロックによれば、壁状構造物を構成した状態において、第１の凹部と他の建設用ブロックにおける第４の凹部とが対向した状態で重なり合って第１の連結部と他の建設用ブロックにおける第４の連結部とが連結し、第２の凹部と他の建設用ブロックにおける第３の凹部とが対向した状態で重なり合って第２の連結部と他の建設用ブロックにおける第３の連結部とが連結し、第３の凹部と他の建設用ブロックにおける第２の凹部とが対向した状態で重なり合って第３の連結部と他の建設用ブロックにおける第２の連結部とが連結し、かつ第４の凹部と他の建設用ブロックにおける第１の凹部とが対向した状態で重なり合って第４の連結部と他の建設用ブロックにおける第１の連結部とが連結することにより、鉄筋の埋設や貫通作業および建設用ブロック同士の間にモルタルなどを充填する作業を不要にできる結果、短期間でしかも容易に壁状構造物を組み立てることができる。この結果、人件費を削減することができるため、壁状構造物を安価に構成することができる。
【００３０】
また、請求項２記載の建設用ブロックによれば、第１および他の建設用ブロックの第４の連結部が互いの対向面同士を当接し合い、かつ第２および他の建設用ブロックの第３の連結部が互いの対向面同士を当接し合うことにより、建設用ブロック同士の左右方向での離反を確実に規制することができるため、建設用ブロック同士を確実に連結することができる。したがって、壁状構造物の強度を十分に高めることができる。
【００３１】
また、請求項３記載の建設用ブロックによれば、第１および第２の移動規制壁における各対向面を下方に向かうに従って互いに接近する斜面に形成し、かつ第３および第４の移動規制壁における各対向面を下方に向かうに従って互いに離反する斜面に形成したことにより、建設用ブロックの各凹部を容易に重ね合わせることができる。また、連結状態では、各移動規制壁の各対向面同士が当接し合うことにより、建設用ブロックの左右方向での離反を確実に規制することができる結果、壁状構造物の強度を一層高めることができる。
【００３２】
また、請求項４記載の建設用ブロックによれば、嵌合溝に他の建設用ブロックの突起部が進入し、かつ突起部が他の建設用ブロックの嵌合溝に進入することにより、重ね合わせた建設用ブロックの厚み方向での離反を確実に規制することができる。このため、壁状構造物の強度をさらに高めることができる結果、大型の壁状構造物を構成することができる。
【００３３】
また、請求項５記載の建設用ブロックによれば、裏面中央に延設された分岐部の延出端側における表面上側隅部に第５の連結部を備えた第５の凹部を形成する共に、延出端側における裏面下側隅部に第６の連結部を備えた第６の凹部を形成したことにより、壁状構造物に他の壁状構造物を容易に連結することができる。
【図面の簡単な説明】
【図１】本発明の実施の形態に係る建設用ブロック１を表面側から見た斜視図である。
【図２】建設用ブロック１を裏面側から見た斜視図である。
【図３】建設用ブロック１の平面図である。
【図４】建設用ブロック１の左側面図である。
【図５】建設用ブロック１によって組み立てられた壁状構造物の正面図である。
【図６】他の実施の形態に係る建設用ブロック１Ｂの斜視図である。
【図７】他の実施の形態に係る建設用ブロック１Ｃの斜視図である。
【図８】他の実施の形態に係る建設用ブロック１Ｄの斜視図である。
【図９】従来の建設用ブロック９２によって組み立てられた壁状構造物の斜視図である。
【符号の説明】
１  建設用ブロック
２  表面
３  裏面
１０，２０，３０，４０  凹部
１１，２１，３１，４１  連結部
１４，２４，３４，４４  前方壁
１４ｃ，２４ｃ，３４ｃ，４４ｃ  対向面
１５，２５，３５，４５  突起部
１６，２６，３６，４６  嵌合溝
５０  前部区画壁
６０  後部区画壁
７０  分岐部
７１，７２  凹部
【図１】
0003634318.tif 000002
【図２】
0003634318.tif 000003
【図３】
0003634318.tif 000004
【図４】
0003634318.tif 000005
【図５】
0003634318.tif 000006
【図６】
0003634318.tif 000007
【図７】
0003634318.tif 000008
【図８】
0003634318.tif 000009
【図９】
0003634318.tif 000010